(57)【要約】【課題】液晶パネルに印加する駆動電圧値を決定するコモン電圧の電圧安定化を図る。【解決手段】駆動電圧とコモン電圧の差を基に駆動電圧値を生成し、上記生成した駆動電圧を液晶パネルの各画素に印加することで画像を表示する液晶モジュールにおいて、コモン電圧を生成するコモン電圧生成回路を、内部電源回路に構成することにより上記コモン電圧の変動値を少なくすることで、上記液晶パネルにおける安定した階調表現を実現することができる。【選択図】図１
2007140384.tif 000002
【特許請求の範囲】
【請求項１】
水平方向と垂直方向に画素を並べて形成されて水平方向に順次主走査しながら垂直方向に走査ラインを順次副走査する映像信号に基づいて画像を表示する液晶ディスプレイと、  この液晶ディスプレイにおける主走査方向である水平方向に並ぶ一列分の各画素に対する駆動電圧を生成するソース回路と、 
上記液晶ディスプレイにおける副走査方向である垂直方向に沿って、順次、各列を上記駆動電圧の供給対象とさせるゲート回路と、 
上記映像信号に基づいて上記ソース回路と上記ゲート回路に対する制御用のタイミング信号を生成するタイミングコントローラと、 
外部から電源供給を受け、上記ソース回路にて上記各画素における階調を決定することになる所定の階調電圧を生成するため供給源となる階調電圧生成用電圧と、上記ゲート回路において上記駆動電圧の供給対象となっていない列に対して供給する第一の出力電圧と、上記駆動電圧の供給対象となる列に対して供給する第二の出力電圧とを生成する内部電源回路とを有し、 
上記各画素は、上記ソース回路にて生成される上記駆動電圧の供給対象となったときにコモン電圧と同駆動電圧との電圧差に対応した階調表現を行う液晶モジュールにおいて
上記内部電源回路にて生成される階調電圧生成用電圧を分圧して直流３．３ボルトの上記コモン電圧を生成するコモン電圧生成回路を有し、 
上記タイミングコントローラは、上記駆動電圧生成手段に内蔵され、
上記ソース回路と上記コモン電圧生成回路とは同じコネクターに接続され、上記ソース回路と上記コモン電圧生成回路とは、上記コネクターを介して上記コモン電圧と上記駆動電圧との差に基づいて電圧値を生成する外部回路と接続することにより上記階調表現を行うことを特徴とし、
画像を表示するエリアが１．７インチ〜２．４インチまでのいずれかの大きさの液晶モジュール。
【請求項２】
水平方向と垂直方向に画素を並べて形成されて水平方向に順次主走査しながら垂直方向に走査ラインを順次副走査する映像信号に基づいて画像を表示する液晶ディスプレイと、  この液晶ディスプレイにおける主走査方向である水平方向に並ぶ一列分の各画素に対する駆動電圧を生成するソース回路と、 
上記液晶ディスプレイにおける副走査方向である垂直方向に沿って、順次、各列を上記駆動電圧の供給対象とさせるゲート回路と、 
上記映像信号に基づいて上記ソース回路と上記ゲート回路に対する制御用のタイミング信号を生成するタイミングコントローラと、 
外部から電源供給を受け、上記ソース回路にて上記各画素における階調を決定することになる所定の階調電圧を生成するため供給源となる階調電圧生成用電圧と、上記ゲート回路において上記駆動電圧の供給対象となっていない列に対して供給する第一の出力電圧と、上記駆動電圧の供給対象となる列に対して供給する第二の出力電圧とを生成する内部電源回路とを有し、 
上記各画素は、上記ソース回路にて生成される上記駆動電圧の供給対象となったときにコモン電圧と同駆動電圧との電圧差に対応した階調表現を行う液晶モジュールにおいて、   上記内部電源回路にて生成される階調電圧生成用電圧を分圧して上記コモン電圧を生成するコモン電圧生成回路を有することを特徴とする液晶モジュール。 
【請求項３】
上記タイミングコントローラは、上記駆動電圧生成手段に内蔵されていることを特徴とする請求項２に記載の液晶モジュール。
【請求項４】
上記ソース回路と上記コモン電圧生成回路とは同じコネクターに接続され、上記ソース回路と上記コモン電圧生成回路とは、上記コネクターを介して上記コモン電圧と上記駆動電圧との差を基に電圧値を生成する回路と接続することにより、上記階調表現を行うことを特徴とする請求項２または請求項３のいずれかに記載の液晶モジュール。
【発明の詳細な説明】
【技術分野】
【０００１】
本発明は、液晶モジュールに関し、特にコモン電圧を安定させる液晶モジュールに関する。
【背景技術】
【０００２】
映像や文字を表示するのに液晶物質を利用する液晶モジュールは厚みが薄いことによる配置の利便性と、消費電力の少なさから近年さまざまな機器に利用されている。映像や文字等を表示する液晶モジュールは、電圧によって分子の配置が変化する液晶物質を充填した画素がマトリクス状に配置した構造である。上記各画素に所定の電圧を印加し、同電圧が印加された各画素に光を照射すると液晶物質の配置の変化によって光の透過率が変化する。液晶パネルは上記作用を利用して画像を表示している。
【０００３】
上記各画素に所定の電圧を印加する方法として、図１０に示すものが知られている。図１０は液晶パネルの各画素に電圧を流すスイッチの役割を果たす電界効果トランジスター４と、印加した電圧を蓄積するキャパシタから構成された画素電極１０と、コモン電圧が印加される対向電極１１から構成されている。上記液晶パネルは図示しない外部電源から対向電極１１に印加された直流のコモン電圧と上記キャパシタに蓄えられた電圧との差を基に印加電圧が生成され、上記各画素に電圧を印加する。
【０００４】
液晶パネル２の各画素３はこの印加電圧の電圧値によって光の透過率を変化させて、各画素のコントラストを生成する。このため、上記対向電極１１に印加する電圧の値を安定させることは画像品質を高く維持する上で非常に重要である。
【０００５】
通常電源電圧は一般に使用される商用電圧を基に生成される。商用電圧は内部電流を安定させる働きを持つが、電圧は安定しない。さらに商用電圧を利用して電源を生成する電源回路はダイオードと可変抵抗を用いて構成され、電圧の変動値を所定の範囲に収めるためにはダイオードの種類と可変抵抗値の組み合わせを突き詰める必要があることは周知である。しかし、変動値を安定させるために新たな電源回路を作成することは、コストの上からも非常に困難であり昨今は外部からある程度汎用性をもたせた電源回路を購入しているのが実情である。 
【０００６】
上記課題を解決するために、コモン電圧の電圧値を検出する検出手段と、検出したコモン電圧を帯域制限する帯域制限手段と、コモン電圧を増幅するアンプから構成される帰還手段とから構成され、検出手段によってコモン電圧を検出し、検出した結果が帯域から外れる場合は帯域制限手段によって制限された後、帰還手段によって帯域電圧まで信号処理を行う液晶表示装置が知られている（例えば、特許文献１を参照。）。
【０００７】
【特許文献１】特開２００４−３０９９２９号
【発明の開示】
【発明が解決しようとする課題】
【０００８】
上記した従来の液晶表示装置においては、次のような課題があった。つまり、電圧値が一定でないコモン電圧にアンプで増幅を行った後、帯域制限手段によって信号処理を実施するため一定の電力を消費する。このことは、液晶モジュールの強みである消費電力の少なさと逆行することとなる。
【０００９】
本発明は、上記課題にかんがみてなされたもので、コモン電圧を安定させることが可能な液晶モジュールの提供を目的とする。
【課題を解決するための手段】
【００１０】
上記課題を解決するために、請求項１にかかる液晶モジュールは、水平方向と垂直方向に画素を並べて形成されて水平方向に順次主走査しながら垂直方向に走査ラインを順次副走査する映像信号に基づいて画像を表示する液晶ディスプレイと、この液晶ディスプレイにおける主走査方向である水平方向に並ぶ一列分の各画素に対する駆動電圧を生成するソース回路と、 上記液晶ディスプレイにおける副走査方向である垂直方向に沿って、順次、各列を上記駆動電圧の供給対象とさせるゲート回路と、上記映像信号に基づいて上記ソース回路と上記ゲート回路に対する制御用のタイミング信号を生成するタイミングコントローラと、外部から電源供給を受け、上記ソース回路にて上記各画素における階調を決定することになる所定の階調電圧を生成するため供給源となる階調電圧生成用電圧と、上記ゲート回路において上記駆動電圧の供給対象となっていない列に対して供給する第一の出力電圧と、上記駆動電圧の供給対象となる列に対して供給する第二の出力電圧とを生成する内部電源回路とを有し、上記各画素は、上記ソース回路にて生成される上記駆動電圧の供給対象となったときに直流３．３ボルトのコモン電圧と同駆動電圧との電圧差に対応した階調表現を行う液晶モジュールにおいて、
上記内部電源回路にて生成される階調電圧生成用電圧を分圧して直流３．３ボルトの上記コモン電圧を生成するコモン電圧生成回路を有し、上記タイミングコントローラは、上記駆動電圧生成手段に内蔵され、上記ソース回路と上記コモン電圧生成回路とは同じコネクターに接続され、上記ソース回路と上記電圧生成回路とは、上記コネクターを介して上記コモン電圧と同駆動電圧との差に基づいて電圧値を生成する外部回路と接続することにより上記階調表現を行うことを特徴とし、画像を表示するエリアが１．７インチ〜２．４インチまでのいずれかの大きさの構成である。
【００１１】
つまり、上記構成の液晶モジュールにおいて、 上記内部電源回路にて生成される階調電圧生成用電圧を分圧して直流３．３ボルトの上記コモン電圧を生成するコモン電圧生成回路を有する。 上記タイミングコントローラは、上記駆動電圧生成手段に内蔵され、上記ソース回路と上記コモン電圧生成回路とは同じコネクターに接続され、上記２つの回路は、上記コネクターを介して上記コモン電圧と同駆動電圧との差を基に電圧値を生成する外部回路と接続することにより上記階調表現を行うことを特徴とする。このとき、画像を表示するエリアが１．７インチ〜２．４インチまでのいずれかの大きさである。
【００１２】
また、上記課題を解決するために請求項２にかかる液晶モジュールは、水平方向と垂直方向に画素を並べて形成されて水平方向に順次主走査しながら垂直方向に走査ラインを順次副走査する映像信号に基づいて画像を表示する液晶ディスプレイと、この液晶ディスプレイにおける主走査方向である水平方向に並ぶ一列分の各画素に対する駆動電圧を生成するソース回路と、上記液晶ディスプレイにおける副走査方向である垂直方向に沿って、順次、各列を上記駆動電圧の供給対象とさせるゲート回路と、上記映像信号に基づいて上記ソース回路と上記ゲート回路に対する制御用のタイミング信号を生成するタイミングコントローラと、外部から電源供給を受け、上記ソース回路にて上記各画素における階調を決定することになる所定の階調電圧を生成するため供給源となる階調電圧生成用電圧と、上記ゲート回路において上記駆動電圧の供給対象となっていない列に対して供給する第一の出力電圧と、上記駆動電圧の供給対象となる列に対して供給する第二の出力電圧とを生成する内部電源回路とを有し、上記各画素は、上記ソース回路にて生成される上記駆動電圧の供給対象となったときにコモン電圧と同駆動電圧との電圧差に対応した階調表現を行う液晶モジュールにおいて、 
上記内部電源回路にて生成される階調電圧生成用電圧を分圧して上記コモン電圧を生成するコモン電圧生成回路を有する構造である。 
【００１３】
つまり、上記構造の液晶モジュールにおいて、上記各画素は、上記ソース回路にて生成される上記駆動電圧の供給対象となったときにコモン電圧と同駆動電圧との電圧差に対応した階調表現を行う。このとき上記内部電源回路にて生成される階調電圧生成用電圧を分圧して上記コモン電圧を生成するコモン電圧生成回路を有する。
【発明の効果】
【００１４】
以上説明したように本発明によれば、請求項１、請求項２、請求項４にかかる発明においては、コモン電圧を生成する電源電圧の変動値を安定させることで、安定した画像を表示する液晶モジュールを提供することができる。
また、請求項３にかかる発明においては、請求項２に記載された液晶モジュールにおいて、タイミングコントローラをソース回路に内蔵することで構造をコンパクトにした液晶モジュールを提供することができる。
【発明を実施するための最良の形態】
【００１５】
ここでは、下記の順序に従って本発明の実施形態について説明する。
（１）液晶モジュールの構成
（２）画像の表示方法
（３）変形例１
（４）変形例２
（５）まとめ
【００１６】
（１）液晶モジュールの構成
図１は本発明の一実施形態である液晶モジュールのブロック構成図である。液晶モジュール１は、液晶パネル２と、ソース回路５と、ゲート回路６と、タイミングコントローラ７と、内部電源回路８と電源回路９から構成される。
【００１７】
液晶パネル２は、液晶物質が充填された複数画素で構成されたパネルの背面にガラス基板が配置されている。このガラス基板上には、垂直方向に複数配列されそれぞれ水平方向に伸びる走査ラインＧ１〜ＧＮ（Ｎは、２以上の自然数）と、水平方向に複数配列されそれぞれ垂直方向に伸びる信号ラインＳ１〜ＳＭ（Ｍは、２以上の自然数）とが配置されている。また、走査ラインＧｎ（１≦ｎ≦Ｎ、ｎは自然数）と信号ラインＳｍ１３（１≦ｍ≦Ｍ、ｍは自然数）との交差点に対応して、液晶物質が充填された画素３が設けられている。
【００１８】
画素３には電界効果トランジスター４を有している。電界効果トランジスター４のゲート電極４ａは、走査ラインＧｎ１２に接続されている。電界効果トランジスター４のソース電極４ｂとドレイン電極４ｃは各、ソース電極が信号ラインＳｍ１３に接続しドレイン電極４ｃは、キャパシタで構成された画素電極１０と接続している。さらに、画素電極１０は液晶パネル２の各画素３と接続している。上記構造において電界効果トランジスター４は信号ラインＳｍ１３に印加された駆動電圧を画素電極１０に印加するスイッチとしての役割を果たす。
【００１９】
画素電極１０が接続した液晶パネル２の画素３は対向電極１１と接続しており、液晶パネル２の各画素３は、画素電極１０に対向する対向電極１１との間の印加電圧に応じて画素３に充填された液晶物質の透過率が変化するようになっている。
【００２０】
ソース回路５は外部機器を介してタイミングコントローラ７から入力された画像データを基に駆動電圧を生成し信号ラインＳｍ１３に上記駆動電圧を印加する。図２は本発明の一実施形態であるソース回路のブロック構成図である。ソース回路５は、第一のシフトレジスタ１４、ラインラッチ１５、ディジタル／アナログ変換回路１６、信号ライン駆動回路１７から構成されている。
【００２１】
第一のシフトレジスタ１４は、複数のフリップフロップを有しており、これらフリップフロップからタイミングコントローラ７で生成されたクロック信号と水平同期信号が入力される。この第一のシフトレジスタ１４は、タイミングコントローラ７が出力するクロック信号に同期して画像データを出力するためのイネーブル入出力信号を保持すると、順次クロック信号に同期して隣接するフリップフロップにイネーブル入出力信号を入力する。
【００２２】
ラインラッチ１５は、タイミングコントローラ７から例えば１８ビット（６ビット（階調データ）×３（ＲＧＢ各色））単位で画像データが入力される。ラインラッチ１５は、この画像データを、第一のシフトレジスタ１４の各フリップフロップで順次入力されたイネーブル入出力信号に同期してラッチする。さらに、ラインラッチ１５は、タイミングコントローラ７から供給される水平同期信号に同期して、ラインラッチ１５でラッチされた一水平走査単位の画像データをラッチする。
【００２３】
ディジタル／アナログ変換回路１６は、信号ラインＳｍ１３ごとに、ラッチされた画像データに基づいてアナログ化された駆動電圧を生成する。ディジタル／アナログ変換回路１６が上記画像データを変換する方法として、内部電源回路８により生成された階調電圧を用いてディジタル／アナログ変換を行う。図３は階調電圧を用いてディジタル／アナログ変換を行った図である。以下この図を用いて説明を行う。
【００２４】
ディジタル／アナログ変換回路１６はＲＧＢの各色の階調に対応する６ビットのメモリーを備える。ディジタル／アナログ変換回路１６は、内部電源回路８からＶ１〜Ｖ１０までの１０段階の電圧値を受け取り、まず６ビットの内の上位３ビットを使用して図に示すＶ１〜Ｖ１０までの間の電圧を決定する。例えば、上位３ビットを使用してＶ４からＶ５の間を選択したとする。次に残りの下位３ビットを使用してＶ４からＶ５の間をさらに８等分してその内の一つを選択する。このように、ラッチした画像データからアナログの駆動電圧を生成する。
【００２５】
信号ライン駆動回路１７は、ディジタル／アナログ変換回路１６によって生成された駆動電圧を信号ラインＳｍ１３に印加する。
【００２６】
ゲート回路６はタイミングコントローラ７からの信号に基づいて駆動電圧を生成し、走査ラインＧｎ１２に駆動電圧を印加する。図４は本発明の一実施形態であるゲート回路のブロック構成図である。ゲート回路６は、第二のシフトレジスタ１８、レベルシフタ１９、走査ライン駆動回路２０から構成される。
【００２７】
第二のシフトレジスタ１８は、各走査ラインＧｎ１２に対応して設けられたフリップフロップにタイミングコントローラ７からのクロック信号と垂直同期信号が順次入力される。この第二のシフトレジスタ１８は、内部電源回路８から２種類の走査ライン駆動信号が入力され、クロック信号に同期して走査ライン駆動信号をフリップフロップに保持する。さらに、第二のシフトレジスタ１８は垂直同期信号に同期して隣接するフリップフロップに走査ライン駆動信号をシフトする。
【００２８】
レベルシフタ１９は、液晶パネル２の液晶物質に応じた電圧レベルに走査ライン駆動信号をシフトする。
【００２９】
走査ライン駆動回路２０は、レベルシフタ１９によってシフトされた２種類の走査ライン駆動信号に基づいて、ＣＭＯＳ駆動を行う。このとき、内部電源回路８から入力される２種類の走査ライン駆動信号のうち、第一の走査ライン駆動信号が走査ライン駆動回路２０に入力されると、走査ライン駆動回路２０は走査ライン駆動信号を走査ライン１２に出力する。また、第二の走査ライン駆動信号が走査ライン駆動回路２０に入力されると、走査ライン駆動回路２０は走査ライン駆動信号の出力と止める。
【００３０】
タイミングコントローラ７は、図示しない制御装置等のホストにより設定された内容に従って、ソース回路５、ゲート回路６及び内部電源回路８を制御する。より具体的には、タイミングコントローラ７は、ソース回路５及びゲート回路６に対して、例えば動作モードの設定や内部で生成した垂直同期信号や水平同期信号の供給を行う。
【００３１】
図５は本発明の一実施形態におけるタイミングコントローラの図である。タイミングコントローラ７は、ホスト入出力回路２１、制御回路２２、ＲＯＭ２３、ＬＣＤ入出力回路２４、ＲＡＭ２５から構成されている。制御回路２２は、ホストによって設定された内容にしたがい、ソース回路５、ゲート回路６及び内部電源回路８の各種動作モード設定や同期制御等を行う。
【００３２】
タイミングコントローラ７は、ホスト入出力回路２１を介して、画像データや、ソース回路５及びゲート回路６を制御するための制御信号が供給される。ホスト入出力回路２１には、図示しないＣＰＵや、ディジタル信号処理装置、或いはマイクロプロセッサーユニットが接続される。
【００３３】
タイミングコントローラ７は、画像データが供給された場合、この画像データをＲＡＭ２５に保持する。また同様に制御信号が供給された場合、タイミングコントローラ７はＲＡＭ２５に制御信号を保持する。
【００３４】
制御回路２２は、ＲＯＭ２３に設定された内容にしたがって、クロック信号を生成する。また、制御回路２２はクロック信号により生成された表示タイミングにより、ＲＡＭ２５に記憶された画像データから所定の形式の画像データを生成し、ＬＣＤ入出力回路２４を介して、ソース回路５に供給する。
【００３５】
内部電源回路８は、電源回路９から供給される電源電圧に基づいて、液晶パネル２の液晶駆動に必要な電圧レベルや、上記したソース回路での駆動電圧に使用される階調電圧を生成するための階調電圧生成用電圧や、ゲート回路６の走査ライン駆動回路２０のオンオフ制御に使用される２種類の走査ライン駆動信号が生成される。
【００３６】
電源回路９は、外部電源から供給された電源電圧を基に、液晶モジュール１を構成する各構成要素に必要な電源電圧を生成し、供給する。
【００３７】
（２）画像の表示方法
上記構造により構成された液晶モジュール１は各画素３に駆動電圧を印加することにより液晶パネル２に画像を表示する。図６は本発明の一実施形態における液晶モジュールの画像表示方法を示した図である。タイミングコントローラ７に一画面単位の画像データが入力されると、タイミングコントローラ７はクロック信号と水平同期信号と垂直同期信号とを生成する。次に、タイミングコントローラ７は、画像データとクロック信号と水平同期信号をソース回路５に、クロック信号と垂直同期信号とをゲート回路６に出力する。
【００３８】
ソース回路５は、内分電源生成回路８から階調電圧を受け取り、上記階調電圧と上記画像データからアナログの駆動電圧を生成し信号ラインＳｍ１３のＳ１〜ＳＭに水平同期信号に同期して順次印加していく。次に、ゲート回路６は、内部電源回路８から２種類の走査ライン駆動信号を受け取り、走査ライン駆動信号を走査ラインＧｎ１２に印加する。
【００３９】
液晶パネル２の各画素３に対応する電界効果トランジスター４は走査ラインＧｎ１２と接続されたゲート電極４１に２種類の走査ライン駆動信号を印加することにより、信号ラインＳｍ１３に接続されたソース電極４ｂは駆動電圧をドレイン電極４ｃに印加する。
【００４０】
走査ラインＧｎ１２と信号ラインＳｍ１３によって特定される画素を画素（Ｇｎ、Ｓｍ）とする。今ゲート回路６が、内部電源回路８からの第一の走査ライン駆動信号を受けて走査ラインＧ１に走査ライン駆動電圧を印加したとする。走査ラインＧ１と接続した電界効果トランジスター４は、各ゲート電極４１に第一の走査ライン駆動信号が印加されたことにより、すでに印加された駆動電圧をソース電極４ｂからドレイン電極４ｃへと印加する。これによりタイミング信号が印加された走査ラインＧ１と接続した、Ｓ１からＳＭまでの信号ラインＳｍ１３と接続した電界効果トランジスター４は駆動電圧を画素（Ｇ１、Ｓ１〜ＳＭ）までの画素電極１０に印加する。このとき、内部電源回路８はすぐに第二の走査ライン駆動信号を出力し、これを受けて、ゲート回路６は走査ライン駆動電圧の出力を止める。
【００４１】
次に、ゲート回路６は走査線Ｇ２に走査ライン駆動電圧を印加し、画素３（Ｇ２、Ｓ１〜Ｍ）に駆動電圧が印加される。さらにゲート回路６は内部電源回路８から出力される垂直同期信号と同期して走査ラインＧ３〜ＧＮまで順次画素を印加していき、液晶パネル２の各画素全体を印加する。
【００４２】
このとき液晶パネル２は上記駆動電圧を各画素３に充填された液晶物質に印加することで、光の透過を変化させ映像を表示するが、画素３に印加する駆動電圧の電圧値を決定するためにはコモン電圧を外部から入力させる必要がある。また、コモン電圧は駆動電圧の電圧値の基準となるため、電圧の変動値が少ないことが望ましい。
【００４３】
そこで、本発明の一実施形態である液晶モジュール１は、内部電源回路８にコモン電圧として３．３ボルト直流電圧を生成するコモン電圧生成回路２６を有し、コモン電圧生成回路２６が生成したコモン電圧と駆動電圧との差を用いて画素に印加する電圧値を決定する構成とした。
【００４４】
内部電源回路８はソース回路５が上記した方法で駆動電圧を生成するさいアナログ電位を決定する閾値として使用される階調電圧生成用電圧を生成するものであり、電圧の変動値が少ない電圧を生成可能であることは周知の技術である。
【００４５】
図７はコモン電圧を用いて決定された液晶パネルの各画素に印加する駆動電圧の波形の図である。液晶パネル２の画素３に電圧を印加する場合、液晶の耐久性や、コントラストの観点から、周期的に液晶容量に蓄積される電荷を放電する必要がある。そのため、上記した液晶モジュール１では、交流化駆動によって、所定の周期で液晶に印加される電圧の極性を反転させることが行われる。
【００４６】
上記構成からなる液晶モジュール１は、液晶パネル２の各画素３に電界効果トランジスター４のドレイン電極４ｃに接続される画素電極１０とコモン電圧生成回路２６から対向電極１１に印加されたコモン電圧との電圧に応じた電荷が充電される。したがって、各画素３に蓄積された電荷によって保持された画素電極電圧が、所定の閾値を越えると画像表示が可能となる。画素電極電圧が所定の閾値を越えると、その電圧レベルに応じて画素の透過率が変化し、階調表現が可能となる。
【００４７】
（３）変形例
上記構成により本発明の一実施形態である液晶モジュール１は、回路構成によりタイミングコントローラ７をソース回路５に内蔵してもよい。タイミングコントローラ７をソース回路５に内蔵することにより、回路の配置を簡素化することが可能となる。
【００４８】
（４）変形例２
上記構成により本発明の一実施形態である液晶モジュール１は画像を表示するが、コモン電圧と駆動電圧の差を用いて駆動電圧の値を決定するのに、ソース回路５とコモン電圧生成回路２６とをコネクターに接続し、液晶パネル２の外部で各画素３に印加する駆動電圧値を生成した後、液晶パネル２の各画素３に印加しても良い。
【００４９】
図９は本発明の一実施形態である駆動電圧の値を決める回路図である。図より、回路はコネクター２７と、可変抵抗２８と、コンデンサー２９とから構成されている。コモン電圧生成回路２６はコネクター２７の８番ポートと接続し、ソース回路５はコネクター２７の７番ポートと接続している。コネクター２７の７番は可変抵抗２８と接続し、可変抵抗２８の出力側はコネクター２７の７番ポートとコンデンサーを介して接続し、また、１番ポートにも並列で接続している。
【００５０】
上記回路構成にて、ソース回路５から出力された駆動電圧はコネクター２７の７番ポートを介してコンデンサー２９に出力される。コンデンサー２９に蓄えられた交流の駆動電圧は、コネクターの８番ポートを介してコモン電圧生成回路２６から出力されたコモン電圧との差を基に駆動電圧の値を決定し、コネクター２７の１番ポートへ出力される。コネクター２７の１番ポートは液晶パネル２の各画素３に接続されており、コネクター２７の１番ポートを介して各画素に駆動電圧を印加する。
【００５１】
（５）まとめ
駆動電圧とコモン電圧の差を基に生成する駆動電圧値を液晶パネルの各画素に印加することで画像を表示する液晶モジュールにおいて、コモン電圧を生成するコモン電圧生成回路を内部電源回路に構成することにより上記コモン電圧の変動値を少なくし、液晶パネルにおける安定した階調表現を実現することができる。
【００５２】
請求項３に記載の液晶モジュールは、請求項２に記載の液晶モジュールにおいて、上記タイミングコントローラは、上記ソース回路に内蔵された構成である。
【００５３】
つまり、請求項２に記載の液晶モジュールにおいて、上記タイミングコントローラは、上記ソース回路に内蔵され構造が簡略化されている。
【００５４】
請求項４に記載の液晶モジュールは、請求項２に記載の液晶モジュールにおいて、上記ソース回路と上記コモン電圧生成回路とは同じコネクターに接続され、上記ソース回路と上記コモン電圧生成回路とは、上記コネクターを介して上記コモン電圧と同駆動電圧との差に基づいて電圧値を生成する回路と接続することにより、上記階調表現を行う構造である。
【００５５】
つまり、上記ソース回路の駆動電圧出力部と上記コモン電圧生成回路のコモン電圧出力部とは同じコネクターに接続されている。上記２つの電圧出力部は、上記コネクターを介して上記コモン電圧と同駆動電圧との電圧差に対応した電圧値を生成する回路と接続されており、この回路を用いて上記階調表現を行う。
【００５６】
なお、本発明は上記実施形態に限られるものでないことは言うまでもない。当業者であれば言うまでもないことであるが、 
・上記実施形態の中で開示した相互に置換可能な部材および構成等を適宜その組み合わせを変更して適用すること 
・上記実施形態の中で開示されていないが、公知技術であって上記実施形態の中で開示した部材および構成等と相互に置換可能な部材および構成等を適宜置換し、またその組み合わせを変更して適用すること 
・上記実施形態の中で開示されていないが、公知技術等に基づいて当業者が上記実施形態の中で開示した部材および構成等の代用として想定し得る部材および構成等と適宜置換し、またその組み合わせを変更して適用すること 
は本発明の一実施形態として開示されるものである。
【図面の簡単な説明】
【００５７】
【図１】液晶モジュールのブロック構成図である。
【図２】ソース回路のブロック構成図である。
【図３】階調電圧を用いてディジタル／アナログ変換を行った図である。
【図４】ゲート回路のブロック構成図である。
【図５】タイミングコントローラの図である。
【図６】液晶モジュールの画像表示方法を示した図である。
【図７】コモン電圧を用いて決定された液晶パネルの各画素に印加する駆動電圧の波形の          図である。
【図８】本発明の内部電源回路のブロック構成図である。
【図９】本発明の駆動電圧値を決める回路図である。
【図１０】従来の液晶パネルの画像表示方法の図である。
【符号の説明】
【００５８】
１…液晶モジュール
２…液晶パネル
３…画素
４…電界効果トランジスター
５…ソース回路
６…ゲート回路
７…タイミングコントローラ
８…内部電源回路
９…電源回路
１０…画素電極
１１…対向電極
１２…走査ライン
１３…信号ライン
１４…第一のシフトレジスタ
１５…ラインラッチ
１６…ディジタル／アナログ変換回路
１７…信号ライン駆動回路
１８…第二のシフトレジスタ
１９…レベルシフタ
２０…走査ライン駆動回路
２１…ホスト入出力回路
２２…制御回路
２３…ＲＯＭ
２４…ＬＣＤ入出力回路
２５…ＲＡＭ
２６…コモン電圧生成回路
２７…コネクター
２８…可変抵抗
２９…コンデンサー
【図１】
2007140384.tif 000003
【図２】
2007140384.tif 000004
【図３】
2007140384.tif 000005
【図４】
2007140384.tif 000006
【図５】
2007140384.tif 000007
【図６】
2007140384.tif 000008
【図７】
2007140384.tif 000009
【図８】
2007140384.tif 000010
【図９】
2007140384.tif 000011
【図１０】
2007140384.tif 000012